(57)【要約】【課題】告知放送であるかどうかの指示や放送前の準備手続き無しに、いつでも告知放送を全ての利用者に無条件で送信する。【解決手段】  放送信号を伝送する光信号を受信して電気信号に変換する変換部１２と、電気信号を利用者側に出力する出力端子１４と、放送信号の利用停止命令を受け付ける出力停止制御部１６と、出力停止制御部１６が利用停止命令を受け付けたとき、オンモードからオフモードに状態を変更し、利用停止命令が解除されたときは、オフモードからオンモードに復帰するスイッチ２０と、利用者に対して無条件で放送される告知放送の信号周波数を選択して通過させるフィルタ２２とを備え、スイッチ２０は、オンモードでは変換部１２の出力する電気信号を直接出力端子１４に伝送し、オフモードでは、変換部１２の出力する電気信号をフィルタ２２を介して出力端子１４に伝送する。【選択図】図１
2008271282.tif 000002
【特許請求の範囲】
【請求項１】
放送信号を伝送する光信号を受信して電気信号に変換する変換部と、
前記電気信号を利用者側に出力する出力端子と、
前記放送信号の利用停止命令を受け付ける出力停止制御部と、
前記出力停止制御部が前記利用停止命令を受け付けたとき、オンモードからオフモードに状態を変更し、前記利用停止命令が解除されたときは、オフモードからオンモードに復帰するスイッチと、
前記利用者に対して無条件で放送される告知放送の信号周波数を選択して通過させるフィルタとを備え、
前記スイッチは、前記オンモードでは前記変換部の出力する電気信号を直接前記出力端子に伝送し、前記オフモードでは、前記変換部の出力する電気信号を前記フィルタを介して前記出力端子に伝送することを特徴とする光通信機。
【請求項２】
請求項１に記載の光通信機において、
前記放送信号は、ＣＡＴＶ通信網を通じて受信されることを特徴とする光通信機。
【請求項３】
請求項１または２に記載の光通信機において、
電気信号に変換された告知放送はＦＭ放送信号によることを特徴とする光通信機。
【請求項４】
請求項１乃至３のいずれかに記載の光通信機において、
前記フィルタは音声放送を選択して通過させ、画像放送を遮断する特性を有することを特徴とする光通信機。
【請求項５】
請求項１乃至４のいずれかに記載の光通信機において、
前記告知放送信号は、利用者側の告知放送受信専用の常時駆動可能な受信機を駆動する信号であることを特徴とする光通信機。
【請求項６】
請求項１乃至５のいずれかに記載の光通信機において、
変換部の出力する電気信号は出力停止制御部とスイッチとに分配され、出力停止制御部の制御信号はスイッチの制御端子に入力され、前記スイッチには、電気信号を受け入れる入力端子と第１の選択端子と第２の選択端子とが設けられ、オンモードでは、前記スイッチは前記入力端子と前記第２の選択端子とを電気接続し、オフモードでは、前記スイッチは前記入力端子と前記第１の選択端子とを接続し、前記スイッチの前記第１の選択端子はフィルタの入力端子に接続され、前記第２の選択端子は混合機の第２入力端子に接続され、前記フィルタの出力端子は前記混合機の第１入力端子に接続され、前記混合機の出力端子から、利用者用の放送信号が出力されることを特徴とする光通信機。
【発明の詳細な説明】
【技術分野】
【０００１】
本発明は、光通信機によりＦＭ放送やテレビジョン放送を受信して利用するシステムに対する告知放送機能を持つ光通信機に関する。
【背景技術】
【０００２】
ＣＡＴＶシステムでは、同軸ケーブルや光ケーブルを使用して利用者宅にＦＭ放送やテレビジョン放送を提供する。このシステムには、放送提供側からのサービス情報や災害発生時の緊急放送のために、告知放送を送信する機能が設けられている（特許文献１参照）。
【特許文献１】特開２０００−１１５１００号公報
【発明の開示】
【発明が解決しようとする課題】
【０００３】
既知の従来の技術には、次のような解決すべき課題があった。
近年広く普及しているＣＡＴＶシステムでは、光ケーブルを用いて利用者宅まで放送信号を送信し、利用者宅で光通信機を用いて電気信号に変換する。有料でサービスを提供するＣＡＴＶシステムでは、サービス料金を延滞した場合に、支払いがあるまで遠隔制御により光通信機の機能を停止させることが行われる。しかしながら、光通信機の機能を停止させると、利用者は上記の告知放送も受信することができなくなる。
上記の課題を解決するために、本発明は、緊急放送のような公共性の高い告知放送を、常時受信可能な状態にできる光通信機を提供することを目的とする。
【課題を解決するための手段】
【０００４】
以下の構成はそれぞれ上記の課題を解決するための手段である。
〈構成１〉
放送信号を伝送する光信号を受信して電気信号に変換する変換部と、上記電気信号を利用者側に出力する出力端子と、上記放送信号の利用停止命令を受け付ける出力停止制御部と、上記出力停止制御部が上記利用停止命令を受け付けたとき、オンモードからオフモードに状態を変更し、上記利用停止命令が解除されたときは、オフモードからオンモードに復帰するスイッチと、上記利用者に対して無条件で放送される告知放送の信号周波数を選択して通過させるフィルタとを備え、上記スイッチは、上記オンモードでは上記変換部の出力する電気信号を直接上記出力端子に伝送し、上記オフモードでは、上記変換部の出力する電気信号を上記フィルタを介して上記出力端子に伝送することを特徴とする光通信機。
【０００５】
変換部と出力停止制御部とは既存のＣＡＴＶシステム等にあるものを使用し、スイッチを交換してフィルタを追加するだけで、常時告知放送を配信できるシステムが実現する。告知放送であるかどうかの指示や放送前の準備手続き無しに、いつでも告知放送を全ての利用者に無条件で送信できる。
【０００６】
〈構成２〉
構成１に記載の光通信機において、上記放送信号は、ＣＡＴＶ通信網を通じて受信されることを特徴とする光通信機。
【０００７】
ＣＡＴＶシステムの既存の設備や規格をそのまま利用できる。
【０００８】
〈構成３〉
構成１または２に記載の光通信機において、電気信号に変換された告知放送はＦＭ放送信号によることを特徴とする光通信機。
【０００９】
最も簡便で利用しやすい放送受信機を告知放送専用機として利用者宅に設置することができる。また、フィルタにより簡単に放送波の選択ができる。また、アナログ形式のフィルタは待機電力を消費しないので、まれにしか使用されない回路に最適である。
【００１０】
〈構成４〉
構成１乃至３のいずれかに記載の光通信機において、上記フィルタは音声放送を選択して通過させ、画像放送を遮断する特性を有することを特徴とする光通信機。
【００１１】
音声放送は常時無料放送とし、画像放送のみを有料放送として提供できる。
【００１２】
〈構成５〉
構成１乃至４のいずれかに記載の光通信機において、上記告知放送信号は、利用者側の告知放送受信専用の常時駆動可能な受信機を駆動する信号であることを特徴とする光通信機。
【００１３】
緊急信号等を利用者の意思に関わりなく送信するので、こうした構成が適する。
【００１４】
〈構成６〉
構成１乃至５のいずれかに記載の光通信機において、前記変換部の出力する電気信号は出力停止制御部とスイッチとに分配され、出力停止制御部の制御信号はスイッチの制御端子に入力され、前記スイッチには、電気信号を受け入れる入力端子と第１の選択端子と第２の選択端子とが設けられ、オンモードでは、前記スイッチは前記入力端子と前記第２の選択端子とを電気接続し、オフモードでは、前記スイッチは前記入力端子と前記第１の選択端子とを接続し、前記スイッチの前記第１の選択端子はフィルタの入力端子に接続され、前記第２の選択端子は混合機の第２入力端子に接続され、前記フィルタの出力端子は前記混合機の第１入力端子に接続され、前記混合機の出力端子から、利用者用の放送信号が出力されることを特徴とする光通信機。
【発明を実施するための最良の形態】
【００１５】
以下、本発明の実施の形態を実施例毎に詳細に説明する。
【実施例１】
【００１６】
図１は実施例１の光通信機を示すブロック図である。
図はＣＡＴＶシステムの全体構成を示し、局側から光信号を送信して１台の利用者用光通信機１０に放送信号を提供する状態を示す。実際には、多数の利用者用光通信機１０に放送信号を提供していることはいうまでもない。局側には、局設備２４と混合器２６とコンピュータ２８と遠隔停波制御装置３０と光送信機３４とが設けられている。局設備２４は、ラジオ放送やテレビジョン放送、あるいは、各種の音楽や映像コンテンツを配信する機能を持つ設備である。この装置は既知のＣＡＴＶシステムに設けられたものである。なお、本実施例のシステムでは、局設備２４がＦＭ放送による告知放送信号を生成して出力するようにしている。
【００１７】
コンピュータ２８は、局のオペレータが局設備２４等を操作するために使用される。放送サービスの停止処理の際には、このコンピュータ２８を操作して、遠隔停波制御装置３０を起動して、該当する利用者の光通信機１０の放送受信機能を遠隔操作により停止させる。Ｖ−ＯＮＵは画像受信機能を持つ光ネットワーク接続ユニットのことで、本実施例では光通信機１０のことを指す。利用者宅の各光通信機１０にはそれぞれ、全ての光通信機１０を個々に区別する識別コード１８（アドレス）が割り付けられている。コンピュータ２８は放送を停止する光通信機あるいは放送を再開する光通信機の識別コードを指定する。遠隔停波制御装置３０は停波コマンドもしくは放送再開コマンドと識別コードとをＦＭ変調して光通信機１０に送信する機能を持つ。混合器２６は局設備２４の出力する信号と遠隔停波制御装置３０の出力する信号とを混合して光送信機３４に送り出す機能を持つ。光送信機３４は混合器２６の出力する電気信号を光信号に変換して、光伝送路３６に送り出す機能を持つ。
【００１８】
光伝送路３６は屋外の電柱等に布設される。この光伝送路３６は柱上で光分岐カプラ３８により分岐されて、利用者宅の光通信機１０に引き込まれる。光通信機１０は、光信号を電気信号に変換する機能を持つ装置である。入力側は有線でも無線でも構わないが、出力側は有線である。即ち、出力側（利用者側）の放送受信機は電気信号を利用する。放送受信機は、テレビジョン受信機等の画像放送受信機やＦＭ受信機等の音声放送受信機である。これらの放送受信機はアナログ方式でもデジタル方式でも構わない。
【００１９】
図の光通信機１０は、変換部１２と出力停止制御部１６とスイッチ２０とフィルタ２２とを備える。変換部１２は、放送信号を伝送する光信号を受信して電気信号に変換する機能を持つ。出力停止制御部１６は、放送信号の利用停止命令を受け付けて、スイッチ２０を制御する機能を持つ。スイッチ２０は、利用停止命令を受け付けたとき、オンモードからオフモードに状態を変更し、利用停止命令が解除されたときは、オフモードからオンモードに復帰する機能を持つ。図の状態はオフモードである。スイッチ２０は、例えばトランジスター、ダイオード、リレーなどを用いて、ＴＴＬレベルの信号でスイッチのＯＮ・ＯＦＦを行うＲＦ（ラジオ周波数）スイッチにより構成するとよい。ＲＦスイッチは、放送信号の切り替えに適する通過信号周波数特性を有するから、光通信機に最適である。
【００２０】
フィルタ２２は、利用者に対して無条件で放送される告知放送の信号周波数を選択して通過させる機能を持つ。これは例えば、アナログ回路で広く採用されているバンドパスフィルタにより構成する。この実施例では、例えば、告知放送の信号周波数を７５ＭＨｚ付近に設定し、フィルタ２２は７０〜９０ＭＨｚのＦＭ信号を通過させる特性のものとする。混合機３９はフィルタ２２の出力とスイッチ２０の出力とを混合して出力端子１４を通じて出力する機能を持つ。出力端子１４は、混合機３９の出力する電気信号を利用者側に出力する機能を持つ。
【００２１】
利用者の宅内には、同軸ケーブルが布設される。同軸ケーブルには分配器４０が接続されて、告知放送受信機４２やテレビジョン受信機４４に放送信号が分配される。なお、この実施例では、通常のＦＭ放送受信機を告知放送受信機４２として使用できるようにした。しかしながら、告知放送受信専用の装置であって、常時受信可能な状態に管理されたものを設けておくとよい。放送サービスを停止するときは、既に説明をした識別コードを伴う利用停止命令が受信される。出力停止制御部１６は、識別コード１８（アドレス）を保有しており、該当する識別コード１８を伴う利用停止命令が受信されると、これを受け付けて、スイッチ２０を制御する。
【００２２】
即ち、スイッチ２０は、出力停止制御部１６が利用停止命令を受け付けたときオンモードからオフモードに状態を変更する。利用停止や開始の遠隔制御手順はＣＡＴＶシステムで実施されているものをそのまま使用するので通信手順自体は既存のもので構わない。
【００２３】
図２は既知のＣＡＴＶシステムの光通信機ブロック図である。
図のように、既知のＣＡＴＶシステムでは、変換部１２の出力する電気信号を出力端子１４に伝送する経路にスイッチ５０が挿入されていた。このスイッチ５０は、出力停止制御部１６が放送の利用停止命令を受け付けたときに、該当する経路を遮断する。従って、ラジオ受信機５２やテレビジョン受信機４４に対して供給されていた放送信号一切が停止する。本実施例では、既存の光通信機１０の変換部１２と出力停止制御部１６とをそのままにして、スイッチ５０をスイッチ２０に交換してフィルタ２２を追加するだけでシステムが実現する。
【００２４】
図３は、各モードにおける回路の動作を示す説明図である。
図において、変換部１２の出力する電気信号は出力停止制御部１６とスイッチ２０とに分配されている。出力停止制御部１６の制御信号はスイッチ２０の制御端子６１に入力される。スイッチ２０には、電気信号を受け入れる入力端子６２と第１の選択端子６３と第２の選択端子６４とが設けられている。（ｂ）に示すオンモードでは、スイッチ２０は入力端子６２と前記第２の選択端子６４とを電気接続する。（ａ）に示すオフモードでは、スイッチ２０は入力端子６２と第１の選択端子６３とを接続する。スイッチ２０の第１の選択端子６３はフィルタ２２の入力端子に接続され、第２の選択端子６４は混合機の第２入力端子６６に接続される。フィルタ２２の出力端子は混合機の第１入力端子６５に接続されている。こうして、混合機３９の出力端子６７から、利用者用の放送信号が出力される。
【００２５】
以上の構成の光通信機１０によれば、告知放送であるかどうかの指示や放送前の準備手続き無しに、いつでも告知放送を全ての利用者に無条件で送信できる。告知放送は、例えば、放送提供側からのサービス情報や全ての利用者に通知すべき案内、あるいは災害発生時の緊急放送等を含むとよい。
【実施例２】
【００２６】
以下に、上記の光通信機の各種変形例を説明する。以上説明した本発明の光通信機は、少なくとも放送信号を伝送するシステムに利用される。放送信号は、放送局から送信されたものだけでなく、局側で独自に管理する音楽配信装置等の出力信号も含むとよい。また、本発明のシステムはＣＡＴＶシステムでもＦＴＴＨシステム等でも利用できる。しかし、ＣＡＴＶシステムに採用すると、既存の設備と既存の通信手順をそのまま利用して、新たな告知放送サービスを開始することができるという効果がある。また、上記の光通信機は、電柱、利用者の家の外壁、ケーブルモデム内部、放送受信機の内部等の任意の場所に設置できる。回路を小型化することにより、最適な場所に適宜収納することができる。また、上記の実施例では、電気信号に変換された告知放送はＦＭ放送信号によるものとした。最も簡便で利用しやすい放送受信機を告知放送専用機として利用者宅に設置することができる。また、フィルタにより簡単に放送波の選択ができる。また、アナログ形式のフィルタは待機電力を消費しないので、まれにしか使用されない回路に最適である。
【００２７】
なお、フィルタ２２は音声放送を選択して通過させ、画像放送を遮断する特性を有するものにするとよい。これにより、音声放送は常時無料放送とし、画像放送のみを有料放送として提供できる。即ち、ＣＡＴＶシステム等で提供できるサービスを有料分と無料分とに区別して多様なサービスを提供できる。また、告知放送信号は、利用者側の告知放送受信専用の常時駆動可能な受信機を駆動する信号にするとよい。緊急信号等を利用者の意思に関わりなく送信するので、こうした構成が適する。
【図面の簡単な説明】
【００２８】
【図１】実施例１の光通信機を示すブロック図である。
【図２】既知のＣＡＴＶシステムの光通信機ブロック図である。
【図３】各モードにおける回路の動作を示す説明図である。
【符号の説明】
【００２９】
１０  光通信機
１２  変換部
１４  出力端子
１６  出力停止制御部
１８  識別コード
２０  スイッチ
２２  フィルタ
２４  局設備
２６  混合器
２８  コンピュータ
３０  遠隔停波制御装置
３４  光送信機
３６  光伝送路
３８  光分岐カプラ
３９  混合機
４０  分配器
４２  告知放送受信機
４４  テレビジョン受信機
【図１】
2008271282.tif 000003
【図２】
2008271282.tif 000004
【図３】
2008271282.tif 000005